(57)【要約】【課題】摺動面と抵当面とが、使用する時、体の圧力に合わせて、スイングアームの角度を調整して、すべての加圧輪の加圧力が同じようになり、より快適な指掛かり揉み効果が得られる背部指掛かり揉みマッサージのマッサージャー構造を提供する。【解決手段】スイングアームと動揺部材とから構成されるマッサージャーであって、スイングアームは、中央に、摺動孔が設けられ、両端に加圧輪が枢着され、また、摺動孔の内壁縁に、摺動面が形成され、上記摺動孔の一端開口に、行き止め凸縁が形成され、もう一端に、設置口が形成され、動揺部材は、摺動孔に設置されたブロックで、その外縁が、抵当面で、摺動孔の摺動面に抵当し、動揺部材の軸方向の偏心處に、偏心孔が開口され、また、設置口に、固定部材が結合固定される。【選択図】図２
2010110491.tif 000002
【特許請求の範囲】
【請求項１】
スイングアームと動揺部材から構成されるマッサージャーであって、
スイングアームは、中央に、摺動孔が設けられ、両端に加圧輪が枢着され、また、摺動孔の内壁縁に、摺動面が形成され、動揺部材は、摺動孔内に設置されたブロックで、その外縁が、抵当面で、摺動孔の摺動面に抵当し、動揺部材の軸方向の偏心位置に、偏心孔が開口される、ことを特徴とする背部指掛かり揉みマッサージのマッサージャー構造。
【請求項２】
動揺部材は、軸受であることを特徴とする請求項１に記載の背部指掛かり揉みマッサージのマッサージャー構造。
【請求項３】
摺動孔の一端にある開口に、行き止め凸縁が形成、もう一端に設置口が設けられ、設置口に、固定部材が結合固定されることを特徴とする請求項１に記載の背部指掛かり揉みマッサージのマッサージャー構造。
【請求項４】
設置口と固定部材とは、螺条でロックされることにより結合されることを特徴とする請求項３に記載の背部指掛かり揉みマッサージのマッサージャー構造。
【請求項５】
設置口と固定部材とは、係止槽で係止されることにより結合されることを特徴とする請求項３に記載の背部指掛かり揉みマッサージのマッサージャー構造。
【請求項６】
動揺部材は、左右対称に、駆動装置の回転軸の両端に設置され、偏心孔が、回転軸の結合部に固定されることを特徴とする請求項１に記載の背部指掛かり揉みマッサージのマッサージャー構造。
【請求項７】
偏心孔と結合部とは、内外螺条でロックされることにより結合されることを特徴とする請求項６に記載の背部指掛かり揉みマッサージのマッサージャー構造。
【請求項８】
偏心孔と結合部とは、凹槽と突出を係止してボルトでロック固定することにより結合されることを特徴とする請求項６に記載の背部指掛かり揉みマッサージのマッサージャー構造。
【請求項９】
結合部は、直棒状で、回転軸と同軸に伸びることを特徴とする請求項６に記載の背部指掛かり揉みマッサージのマッサージャー構造。
【請求項１０】
結合部は、回転軸の軸心と傾斜して湾曲されることを特徴とする請求項６に記載の背部指掛かり揉みマッサージのマッサージャー構造。
【請求項１１】
スイングアームの摺動面と動揺部材の抵当面とは、互いに一致する形状を有することを特徴とする請求項１に記載の背部指掛かり揉みマッサージのマッサージャー構造。
【請求項１２】
摺動面と抵当面とは、平面で、環状接触することを特徴とする請求項１１に記載の背部指掛かり揉みマッサージのマッサージャー構造。
【請求項１３】
摺動面と抵当面とは、円弧面で、環状接触することを特徴とする請求項１１に記載の背部指掛かり揉みマッサージのマッサージャー構造。
【発明の詳細な説明】
【技術分野】
【０００１】
本発明は、マッサージ構造に関し、特に、動揺部材の偏心回転により、指掛かりのマッサージ効果が得られ、また、スイングアームの摺動面と動揺部材との抵当面での摺動を利用して、体の圧力に応じて、スイングアームの角度を調整でき、すべての加圧輪の加圧力が同じになって、より快適的な指掛かり揉み効果が実現される背部指掛かり揉みマッサージのマッサージャー構造に関する。
【背景技術】
【０００２】
図９のように、本発明は、一つの駆動装置３０と二つのマッサージャー４０が設けられ、駆動装置３０の上方に、偏心シャフト３１が枢着され、マッサージャー４０の両端に、マッサージ部４１、４２が形成され、そのマッサージ部４１、４２に、中空孔４３が形成され、また、マッサージャー４０の中央に、枢着孔４４が設けられ、上記の構造によれば、マッサージャー４０の枢着孔４４が、偏心シャフト３１に嵌設され、中空孔４３の両側から外側へ拡張するたわみ性を利用して、マッサージ部４１、４２が体の部位２に抵当する時、柔らかいマッサージ揉み力が発生し、また、偏心シャフト３１作動による偏心動揺を利用して、さらに、マッサージャー４０が揉み力がされるが、上記の従来構造は、マッサージャー４０の枢着孔４４が、直接に偏心シャフト３１に固定され、マッサージャー４０が、所定の角度だけで動揺でき、図１０のように、体の部位２がマッサージャー４０の加圧角度が異なる時、その加圧力がマッサージ部４１に集中され、マッサージ部４２に対して、希望のマッサージ効果が得られなく、即ち、最も良いマッサージ効果が得られなく、或いは、ユーザーがマッサージ椅子に合わせて姿勢を調整することが必要であり、そのため、ユーザーにとって不便であり、迷惑になる。
【０００３】
本発明者は、上記欠点を解消するため、慎重に研究し、また、学理を活用して、有効に上記欠点を解消でき、設計が合理である本発明を提案する。
【発明の開示】
【発明が解決しようとする課題】
【０００４】
本発明の目的は、スイングアームと動揺部材とから構成されるマッサージャーであって、スイングアームにおいて、中央に、摺動孔が設けられ、両端に、加圧輪が枢着され、また、動揺部材の偏心回転及び、スイングアームの摺動面と動揺部材との抵当面により、スイングアームの角度を変化し、角度の変化を利用して、実用性が向上され、また、上記摺動面と抵当面が、使用する時、体の圧力に合わせて、スイングアームの角度を調整でき、すべての加圧輪の加圧力が同じになり、より快適な指掛かり揉み効果が得られる背部指掛かり揉みマッサージのマッサージャー構造を提供する。
【課題を解決するための手段】
【０００５】
スイングアームと動揺部材から構成される背部指掛かり揉みマッサージのマッサージャー構造であって、
スイングアームは、中央に、摺動孔が設けられ、スイングアームの両端に加圧輪が枢着され、摺動孔の内壁縁に、摺動面が形成され、動揺部材は、摺動孔内に設置されたブロックで、その外縁が、抵当面で、摺動孔の摺動面に抵当し、動揺部材の軸方向の偏心位置に、偏心孔が開口され、上記の構造により、体の部位に使用される時、その摺動面と抵当面は、使用する時の体の圧力に合わせて、スイングアームの角度を調整でき、上記摺動面と抵当面との間の摺動により、すべての加圧輪の加圧力が同じになり、より快適な指掛かり揉み効果が得られる。
【０００６】
以下、図面を参照しながら、本発明の特徴や技術内容について、詳しく説明するが、それらの図面等は、参考や説明のためであり、本発明は、それによって制限されることが無い。
【発明を実施するための最良の形態】
【０００７】
図１と図２を参照しながら、本発明に係るマッサージャー１０は、スイングアーム１１と動揺部材１２とから構成され、スイングアーム１１は、中央に、摺動孔１１１が設けられ、両端に、加圧輪１１２、１１２′が枢着され、摺動孔１１１の内壁縁に、摺動面１１３が形成され、上記摺動孔１１１の一端開口に、行き止め凸縁１１４が形成され、もう一端に、設置口１１５が設けられ、動揺部材１２は、摺動孔１１１に設置されるブロックで、軸受構造でもよく、その外縁において、抵当面１２１で、摺動孔１１１の摺動面１１３に抵当し、また、動揺部材１２の軸方向に偏心位置に偏心孔１２２が形成され、また、設置口１１５に固定部材１１６が結合固定される。
【０００８】
本発明によれば、図１と図２のように、上記スイングアーム１１の摺動孔１１１は、設置口１１５端で、動揺部材１２に、嵌設され、また、動揺部材１２の抵当面１２１と摺動孔１１１の摺動面１１３とが、互いに抵当し、固定部材１１６が、スイングアーム１１の内側端で、設置口１１５に結合固定され、その結合方式は、螺条でロックされてもよく、係止槽で係止されてもよく、即ち、動揺部材１２が、摺動孔１１１内に位置して、行き止め凸縁１１４と固定部材１１６により定位され、また、マッサージャー１０は、動揺部材１２において、駆動装置２０に実装され（図５のように）、また、マッサージャー１０は、左右対称に、駆動装置２０の回転軸２１の両端に設置され、そして、上記動揺部材１２の偏心孔１２２が、回転軸２１の結合部２１１に固定され、その偏心孔１２２と結合部２１１とが、内外螺条でロックされるように結合され、或いは、凹槽と突出とで係止されてからボルトでロック固定され、また、上記スイングアーム１１の摺動面１１３と動揺部材１２の抵当面１２１とは、互いに合わせる形状で、上記摺動面１１３と抵当面１２１とが、平面で環状接触し、また、円弧面で環状接触でもよく（図５のように）、これにより、その動揺形態が変化される。
【０００９】
使用する時、図２乃至図４を参照しながら、その駆動装置２０の回転により回転軸２１が連動され、上記回転軸２１が動揺部材１２と固定接続されて、回転軸２１と動揺部材１２との間において、軸方向に偏心するように組み立てられるため、動揺部材１２が、偏心孔１２２をスピンドルとして、偏心に旋動し、また、上記動揺部材１２が、スイングアーム１１の摺動孔１１１の中に制限され、動揺部材１２の旋動により、スイングアーム１１が、同じ弧度で動揺し、これにより、指掛かり効果が得られるように加圧動揺が形成され、上記摺動面１１３と抵当面１２１との間において、摺動が発生し、即ち、スイングアーム１１の角度が変化し、角度の変化により、その実用性が向上され、体１の部位に使用される時、スイングアーム１１は、受動揺部材１２の連動により往復に旋動でき、加圧輪１１２、１１２′が、推し圧するように、マッサージの動作を行い、異なる体１の部位や体形により、加圧輪１１２、１１２′が抵当する位置が影響され、抵当位置の異なりにより、加圧輪１１２、１１２′間の加圧力が異なり、上記スイングアーム１１と動揺部材１２とは、摺動面１１３と抵当面１２１で、互いに接触して、摩擦抵抗を有する摺動接触であるため、摺動面１１３と抵当面１２１とは、使用する時、体１の圧力に合わせて、スイングアーム１１の角度を調整でき、上記摺動面１１３と抵当面１２１との間の摺動により、すべての加圧輪１１２、１１２′の加圧力が同じになるため、より快適な指掛かり揉み効果が得られる。
【００１０】
図５と図６は、より良い使用状態であり、その動揺部材１２の偏心孔１２２に、回転軸２１の結合部２１１が結合され、上記結合部２１１が、直棒状で、回転軸２１と同軸に伸び、また、スイングアーム１１と動揺部材１２とが、枢着により接続され、その摺動面１１３と抵当面１２１との表面形状が、互いに合わせられ、摺動面１１３と抵当面１２１が、円弧面で環状接触する時、スイングアーム１１が、摺動孔１１１を利用して、動揺部材１２上で、軸方向の偏移回転を行い、その動揺部材１２の旋動により、スイングアーム１１が、同じ弧度である動揺を行い、即ち、指掛かり効果の推し圧動揺が形成され、上記摺動面１１３が、抵当面１２１の円弧面に接触して、スイングアーム１１に、適当な左右動揺角度が発生し、上記スイングアーム１１の加圧と同時に、左右揉みの効果が得られ、これにより、加圧輪１１２、１１２′の加圧範囲が広がれる。
【００１１】
図７と図８は、他のより良い使用状態であり、その動揺部材１２の偏心孔１２２が、回転軸２１の結合部２１１に結合され、上記結合部２１１が、回転軸２１の軸心と傾斜して湾曲され、また、スイングアーム１１と動揺部材１２が、枢着されるため、摺動面１１３と抵当面１２１とが、平面で環状接触する時、そのスイングアーム１１が、傾斜に湾曲された結合部２１１により、軸方向の偏移スイングを行い、また、動揺部材１２の旋動により、スイングアーム１１が、同じ弧度である動揺を行い、指掛かり効果のような推し圧動揺が形成され、即ち、スイングアーム１１の推し圧動揺とともに、左右動揺が発生し、上記スイングアーム１１の加圧により、同時に、左右揉みの効果が得られ、これにより、加圧輪１１２、１１２′の加圧範囲が広がれ、マッサージの快適性が向上される。
【００１２】
そのため、本発明は、より進歩的かつより実用的で、法に従って特許請求を出願する。
【００１３】
以上は、ただ、本発明のより良い実施例であり、本発明は、それによって制限されることが無く、本発明に係わる特許請求の範囲や明細書の内容に基づいて行った等価の変更や修正は、全てが、本発明の特許請求の範囲内に含まれる。
【図面の簡単な説明】
【００１４】
【図１】本発明の立体図
【図２】本発明の立体分解図
【図３】本発明の実用概念図（１）
【図４】本発明の実用概念図（２）
【図５】本発明の他の良い使用状態の立体分解図
【図６】本発明の他の良い使用状態の作動図
【図７】本発明の更に他の良い使用状態の立体分解図
【図８】本発明の更に他の良い使用状態の作動図
【図９】従来の立体分解図
【図１０】従来の実用概念図
【符号の説明】
【００１５】
本発明
１               
体
１０             
マッサージャー
１１             
スイングアーム
１１１           
摺動孔
１１２、１１２′  加圧輪
１１３           
摺動面
１１４           
行き止め凸縁
１１５           
設置口
１１６           
固定部材
１２             
動揺部材
１２１           
抵当面
１２２           
偏心孔
２０             
駆動装置
２１              回転軸
２１１           
結合部
従来
２              
体の部位
３０            
駆動装置
３１            
偏心シャフト
４０          
マッサージャー
４１、４２       マッサージ部
４３            
中空孔
４４            
枢着孔
【図１】
2010110491.tif 000003
【図２】
2010110491.tif 000004
【図３】
2010110491.tif 000005
【図４】
2010110491.tif 000006
【図５】
2010110491.tif 000007
【図６】
2010110491.tif 000008
【図７】
2010110491.tif 000009
【図８】
2010110491.tif 000010
【図９】
2010110491.tif 000011
【図１０】
2010110491.tif 000012
【手続補正書】
【提出日】平成21年7月28日(2009.7.28)
【手続補正１】
【補正対象書類名】図面
【補正対象項目名】全図
【補正方法】変更
【補正の内容】
【図１】
2010110491.tif 000013
【図２】
2010110491.tif 000014
【図３】
2010110491.tif 000015
【図４】
2010110491.tif 000016
【図５】
2010110491.tif 000017
【図６】
2010110491.tif 000018
【図７】
2010110491.tif 000019
【図８】
2010110491.tif 000020
【図９】
2010110491.tif 000021
【図１０】
2010110491.tif 000022